(57)【要約】      （修正有）【課題】雨の日に自動車の片開きドアーより乗降する際に、雨をさけることと、雨傘のしずくを切って、収納することが出来る、安価な雨よけ装置を提供する。【解決手段】片開きドアー開口の状態で、ドアー内部ガラス窓上部淵面と車内ドアー開口上部の設けたシート取付装置の軸との間にシートを張り、接続部品で繋ぐ。ドアーが閉る手前では、シートは二つ折となり三角形の谷間となり、つゆは低い方に流れる。シート取付装置は、その本体とその先にドアー開口方向側に伸縮軸を設けて、つゆ切りを設ける。本体の反対側にドアー曲線に対応する曲線取付軸を設ける。それにはシートの雨水を流す排水管を案内するつゆ切りを設ける。シート取付装置を寸時取り付け取り外し可能になる保持として、ホルダーとそれを取り付けるホルダー取付板を設ける。それには日除けにも、また他の場所の既成取りつけ穴にも対応出来るよう構成する。【選択図】図８
0003153872.tif 000002
【実用新案登録請求の範囲】
【請求項１】
自動車の片開きドアーが、一定の開いた状態で、ドアー内部ガラス窓上部淵面（Ｅ）とシート取付装置（Ｂ）との中間に、柔らかい透明なシート（Ａ）を張るのに、その保持はドアー側はシート先端のクランプシート（１７）をガラス窓上部溝とガラス上面で挟み込み、シート取付装置は、シート取付バンド（２）と面ファスナーで固定し、そのシート取付装置を、ホルダー（Ｃ）で保持し、それをホルダー取付装置板Ａ（２２）や、ホルダー取付装置Ｂ（２３）に角度調整出来るよう取り付けたことを特徴とした自動車の乗降の雨除け装置。
【請求項２】
シートのドアー側の保持を、ドアー内部ガラス窓上部淵面（Ｅ）に面ファスナー（１３）の片面を接着し、シート側の相手の面ファスナーとで接続することを特徴とした請求項１の自動車の乗降の雨除け装置。
【請求項３】
シート取付装置（Ｂ）の、シート取付本体（３）は、角形の管として、その中に伸縮軸（４）を、ドアー開口側に設け、その反対側に曲線部取付軸（８）を止めて、伸縮軸の先端には、しずく切り（２０）を設け、しずく切り取付座（５）と、板バネ（６）の取り付けは滑りの硬い関節（９）で繋ぐことを特徴とした請求項１の自動車の乗降の雨除け装置。
【請求項４】
ホルダー（Ｃ）はクランプ口金（６）をコノ字形として、ホルダー本体（１９）に、角度調整用の取付穴を設けたことを特徴とした、請求項１の自動車の乗降の雨除け装置。
【考案の詳細な説明】
【技術分野】
【０００１】  雨降りの際に自動車の片開きドアーを開いて、傘に濡れずに移動すること、又、傘より濡れずに車内に移動すること、その際に傘のしずくとシートのしずくを切ることが出来る装置に関するものである。
【背景技術】
【０００２】  片開きドアーの、車外装備の雨よけ装置は、屋根又は壁に巻取装置を装備し、それより繰り出すシートを、ドアー外上淵に固定したものである。
上記のものは外観の観掛けを損なうことや落下の危険性などの問題が指摘されている。車内に装備としては、登録実用第３１０２４８号が有る。それは、車内のドアー上部の壁に、円錐状のドラムでシートを巻き取る、装置を装備して、それよりくり出すシートを、ドアー上部淵の窓ガラス面に吸着盤で保持するものである。これは巻取装置が車内なので、小さい車には車内空間を狭める不具合がある。車外にしろ車内にしろ巻取装置のものは、ドアーの上部曲線の形状に左右されるので、直線や平坦な曲線には、円錐ロールが一個ですむがそうでない場合は複数のロールが必要となる可能性があるので、構造が簡単で安価な装置とは云えない。
したがって構造が簡単で、車内に手軽に取り付け、取り外し、収納がコンパクトで安価な装置の必要性があり、それに答えるものである。
【考案が解決しようとする課題】
【０００３】１、片開きドアーは、運転席側と、他の席側のドアーとがある。運転席ドアー側は、視界をさえぎることや、法規に触れることが有ってはならない。
２、車内を装置の取りつけ穴加工等をしない、構造とする。
３、傘と雨よけ具のしずくを車内に落とさない。
４、雨降り以外は必要ないので収納性が良いこと。
５、構造が簡単安価であること。
以上の要望に答えるために、考案されたのである。
【課題を解決する為の手段】
【０００４】その構造を説明する。
片開きドアーを一定に開口した状態で、ドアー内側ガラス窓上部淵面（Ｅ）シート取付装置（Ｂ）の間にシート（Ａ）を設ける。シートは柔らかい透明シート又は防水布のシートとして双方に接続部品を設ける。
【０００５】  接続部品として、ドアー側は簡単に取り付ける面ファスナー（１３）を、ドアー内側ガラス窓上部淵面（Ｅ）に、又それが出来ない場合は、柔らかい薄板のクランプシート（１７）をシート先端に設けて、ガラス窓上部と溝に挟みこむ。
【０００６】    車内の内側ドアー上部壁側に、ドアー上淵と平行に、シート取付装置（Ｂ）を配備する。その軸の中央に、シート取付本体（３）とドアー開口方向に伸縮軸（４）を、その軸の先に、しずく切り（２０）を、反対側（ドアー蝶番側）に、曲線取付軸（８）を接続する。
【０００７】  シート取付装置をホルダー（Ｃ）で保持する。そのシート取付装置は日除け（１４）に差し込むホルダー取付板Ａ（２２）と他の場所の既設の取りつけ穴に取り付ける。ホルダー取付板Ｂ（２３）を取り付けて構成する。
【考案を実施するための形態】
【０００８】  以下、添付図面に従って実施例を説明をする。
自動車の片開きドアーの、ドアー内側ガラス上部淵面（Ｅ）に、簡単に、取り付く接続部品として、面ファスナー（１３）の片面を接着する。車の種類に依っては出来ない場合もある。その場合はシートの先端に薄い板の厚みの透明ビニールシートのクランプシート（１７）を設けて、窓ガラスとその溝の間に挟み込んでシートを固定する。その際にクランプシートを正確に案内する為にシート案内（２４）を設ける。それをＬ字形として長手方向の中心位置で二つ折出来るようにして、両方を合わせて保持するようにする。
【０００９】ドアーを一定に開口した状態で、ドアー内側ガラス窓上部淵面（Ｅ）と車内のドアー上部のシート取付装置（Ｂ）との中間の面積のシートを設ける。シートは運転側は柔らかい透明ビニールシートで、その他は色付きでも可能である。
車内設置のシート取付装置（Ｂ）の軸の取り付けは、帯状のバンドで軸に巻いて面ファスナー（１３）で接合する。ドアーを閉じる手前では、シートは二つ折なりの勾配の形状となり、雨水が排水されるので、曲線取付軸の先端方向の谷間の位置には排水管（１８）を設ける。
【００１０】  車内の内側ドアー上部壁側に、ドアー上淵と平行に、シート取付装置（Ｂ）を配備する。その軸の中央に、シート取付本体（３）とドアー開口方向に伸縮軸（４）を、その軸の先に、しずく切り（２０）を、反対側に曲線取付軸（８）を設ける。
シート取付本体（３）は角形として、回転しない管とする。その中に、窓の大きさに対応出来るような長さの、伸縮軸（４）として、ネジ止めする。
曲線取付軸（８）は、ドアーの窓に合わせた形状になるので、曲線の無い場合には、不用な場合もある。取り付けは簡単にネジ止め等でする。
シート取付装置は直接、車内の壁に取り付け穴等の工事を避けることにある。
【００１１】しずく切り（２０）はシートの下側で、ドアーが閉る少し前で、シートに着いた、しずくを切る役目をするもので、伸縮軸や曲線取付付軸に固定する。
そして、バネの反発力を利用するもので、しずく切り取付座（５）に板バネを、硬い滑りの関節（９）で、複数で繋ぐものである。板バネの材質は樹脂板を使用する。関節で繋ぐのは衣服の当り、から逃がす役目をするものである。
【００１２】  ホルダー（Ｃ）は、シート取付本体（３）の角形を寸時挟むようコノ字形のクランプ口金（６）で、両方向から挟みこむ。その力は紙ばさみの原理である。
それは、２枚の板を対象に中心を蝶番で繋ぎバネの反力でクランプ口金でシート取付本体を鋏みこむのである。
ホルダー取付板に取り付ける方の部材には、角度調整用の取付穴を設ける。
【００１３】  ホルダーを取り付けるのが、ホルダー取付板で、日除け（１４）に設置する方は、板先に車内の壁に合った角度のホルダー（Ｃ）の取付けの座とホルダー取り付け用の穴を設ける。それが、ホルダー取付板Ａ（２２）である。
日除けが無い個所では、ホルダー取付板Ｂ（２３）を用いて、車内の既成の取り付け穴に設置するようにする。形状は、矩形そ板で車内の壁し取り付ける部分よりホルダー（Ｃ）を取り付ける座の部分には段を付ける。
【考案の効果】
【００１４】片開きドアー内部ガラス窓上部淵面と、車内に配備したシート取付装置との中間に張られたシートの取り付け、取り外し、は簡単となる。
運転側のシートは、運転中は取り外すので視界を遮る事は無い、又外すことが無かったとしても、シートが透明なので問題は起こることは無い。
装置の取り付けは、運転側は日除け、に差しこむ、他は既成の取り付け穴を利用するので追加の穴加工、工事は無い。
シートに付いたしずくは、しずく切り、で切ること、又雨傘のしずくをシート内で、出来るので車内を濡らすことを最小限に止めることが出来る。
装置が簡単、軽量、取り付け、取り外し簡単で安価である。
シート内で雨傘の開閉が出来る。
その他シート取付装置に、四角な布を取り付ければ、日陰や、保温のカーテンとなる。
以上、雨に濡れにくい装置を提供出来る。
【図面の簡単な説明】
【図１】  シート平面図
【図２】  シート側面図
【図３】  ホルダー取付板Ａホルダー取付立体図
【図４】  ホルダー取付板Ｂホルダー取付立体図
【図５】  シート取付装置正面断面図
【図６】  クランプシート取付断面図
【図７】  ドアー閉寸前状態図
【図８】  ドアー開状態図
【図９】  装置取付正面図
【符号の説明】Ａ，シート                        Ｂ，シート取付装置
Ｃ，ホルダー                      Ｄ，しずく切り
Ｅ，ドアー内部ガラス窓上部淵面
１、接続部品                      ２、シート取付バンド
３、シート取付本体                ４、伸縮軸
５、しずく切り取付座              ６、クランプ口金
７、止めネジ                      ８、曲線取付軸
９、関節                          １０、止め環
１１、止め金                      １２、取付穴
１３、面ファスナー                １４、日除け
１５、ガラス窓                    １６、板バネ
１７、クランプシート              １８、排水管
１９，ホルダー本体                ２０，しずく切りＡ
２１，しずく切りＢ                ２２，ホルダー取付板Ａ
２３，ホルダー取付板Ｂ            ２４，シート案内
【図１】
0003153872.tif 000003
【図２】
0003153872.tif 000004
【図３】
0003153872.tif 000005
【図４】
0003153872.tif 000006
【図５】
0003153872.tif 000007
【図６】
0003153872.tif 000008
【図７】
0003153872.tif 000009
【図８】
0003153872.tif 000010
【図９】
0003153872.tif 000011